【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
遊技の進行を制御する主制御装置と、
演出装置の制御を行うサブ制御装置と、
普通図柄作動ゲートに遊技球が入球した際に抽出した数値データに基づいて開閉部材を開放させるか否かの判定である普通図柄判定の判定結果を報知する普通図柄表示装置と、
常時入球可能な第１始動口と、
前記開閉部材を備えた第２始動口と、
前記第１始動口に遊技球が入球した際に抽出した数値データをもとに行われる特別図柄判定の判定結果を報知する第１特別図柄表示装置と、
前記第２始動口に遊技球が入球した際に抽出した数値データをもとに行われる特別図柄判定の判定結果を報知する第２特別図柄表示装置と、
前記特別図柄判定の判定結果である小当り図柄が確定表示されることで、特定領域を備えた大入賞口を開放させる小当り遊技を実行させる小当り遊技実行手段と、
前記第１特別図柄表示装置、又は前記第２特別図柄表示装置に大当り図柄が確定表示されることで、又は前記小当り遊技中に前記特定領域に遊技球が入球することで大当り遊技を実行させる大当り遊技実行手段と、
通常遊技状態よりも、単位時間あたりの前記第２始動口への入球率が高くなるように設定された状態である開放延長状態に移行させる開放延長状態移行手段と、備え、
所定の発射威力未満で発射された遊技球が流下する第１遊技領域と、前記所定の発射威力以上で発射された遊技球が流下する第２遊技領域とに、遊技球を打ち分けて発射可能な弾球遊技機において、
前記主制御装置による制御にて、前記第２遊技領域への遊技球の流下を促す報知を実行する第１報知手段と、
前記サブ制御装置による制御にて、前記第２遊技領域への遊技球の流下を促す報知を実行する第２報知手段と、
前記第２遊技領域の所定領域を流下した遊技球を検出する遊技球検出手段と、
少なくとも、前記遊技球検出手段によって所定数の遊技球が検出されたことを条件に前記第１遊技領域への遊技球の流下を促す報知を実行させる注意報知制御手段と、を備え、
前記普通図柄作動ゲートとして、普通図柄作動ゲート１と普通図柄作動ゲート２とがあり、
前記第２遊技領域を流下した遊技球よりも前記第１遊技領域を流下した遊技球のほうが入球し易い位置に前記普通図柄作動ゲート１と、前記第１始動口と、を配置し、
前記第１遊技領域を流下した遊技球よりも前記第２遊技領域を流下した遊技球のほうが入球し易い位置に前記普通図柄作動ゲート２と、前記第２始動口と、前記特定領域を備えた大入賞口と、を配置し、
前記特別図柄判定によって、前記第２特別図柄表示装置に前記大当り図柄が確定表示される確率よりも前記小当り図柄が確定表示される確率を高くし、
前記通常遊技状態における前記開閉部材の開放パターンとして、開閉部材短開放と、該開閉部材短開放よりも開放時間が長い開閉部材長開放と、があり、
該開閉部材長開放が行われている際には、前記第１報知手段及び前記第２報知手段による報知が実行され、
前記開閉部材短開放が行われている際には、前記第１報知手段による報知が実行されるが、前記第２報知手段による報知は実行されないものとし、
前記注意報知制御手段は、
前記普通図柄表示装置に前記開閉部材短開放が行われることを示す判定結果が報知されてから所定時間が経過するまでに、前記遊技球検出手段によって前記所定数の遊技球が検出されても前記第１遊技領域への遊技球の流下を促す報知を実行させないようにしたことを特徴とする弾球遊技機。
【請求項２】
遊技の進行を制御する主制御装置と、
演出装置の制御を行うサブ制御装置と、
普通図柄作動ゲートに遊技球が入球した際に抽出した数値データに基づいて開閉部材を開放させるか否かの判定である普通図柄判定の判定結果を報知する普通図柄表示装置と、
常時入球可能な第１始動口と、
前記開閉部材を備えた第２始動口と、
前記第１始動口に遊技球が入球した際に抽出した数値データをもとに行われる特別図柄判定の判定結果を報知する第１特別図柄表示装置と、
前記第２始動口に遊技球が入球した際に抽出した数値データをもとに行われる特別図柄判定の判定結果を報知する第２特別図柄表示装置と、
前記特別図柄判定の判定結果である小当り図柄が確定表示されることで、特定領域を備えた大入賞口を開放させる小当り遊技を実行させる小当り遊技実行手段と、
前記第１特別図柄表示装置、又は前記第２特別図柄表示装置に大当り図柄が確定表示されることで、又は前記小当り遊技中に前記特定領域に遊技球が入球することで大当り遊技を実行させる大当り遊技実行手段と、
通常遊技状態よりも、単位時間あたりの前記第２始動口への入球率が高くなるように設定された状態である開放延長状態に移行させる開放延長状態移行手段と、備え、
所定の発射威力未満で発射された遊技球が流下する第１遊技領域と、前記所定の発射威力以上で発射された遊技球が流下する第２遊技領域とに、遊技球を打ち分けて発射可能な弾球遊技機において、
前記主制御装置による制御にて、前記第２遊技領域への遊技球の流下を促す報知を実行する第１報知手段と、
前記サブ制御装置による制御にて、前記第２遊技領域への遊技球の流下を促す報知を実行する第２報知手段と、
前記第２遊技領域の所定領域を流下した遊技球を検出する遊技球検出手段と、
少なくとも、前記遊技球検出手段によって所定数の遊技球が検出されたことを条件に前記第１遊技領域への遊技球の流下を促す報知を実行させる注意報知制御手段と、を備え、
前記普通図柄作動ゲートとして、普通図柄作動ゲート１と普通図柄作動ゲート２とがあり、
前記第２遊技領域を流下した遊技球よりも前記第１遊技領域を流下した遊技球のほうが入球し易い位置に前記普通図柄作動ゲート１と、前記第１始動口と、を配置し、
前記第１遊技領域を流下した遊技球よりも前記第２遊技領域を流下した遊技球のほうが入球し易い位置に前記普通図柄作動ゲート２と、前記第２始動口と、前記特定領域を備えた大入賞口と、を配置し、
前記特別図柄判定によって、前記第２特別図柄表示装置に前記大当り図柄が確定表示される確率よりも前記小当り図柄が確定表示される確率を高くし、
前記通常遊技状態における前記開閉部材の開放パターンとして、開閉部材短開放と、該開閉部材短開放よりも開放時間が長い開閉部材長開放と、があり、
該開閉部材長開放が行われている際には、前記第１報知手段及び前記第２報知手段による報知が実行され、
前記開閉部材短開放が行われている際には、前記第１報知手段及び前記第２報知手段による報知が実行されないものとし、
前記注意報知制御手段は、
前記普通図柄表示装置に前記開閉部材短開放が行われることを示す判定結果が報知されてから所定時間が経過するまでに、前記遊技球検出手段によって前記所定数の遊技球が検出されても前記第１遊技領域への遊技球の流下を促す報知を実行させないようにしたことを特徴とする弾球遊技機。
【手続補正２】
【補正対象書類名】明細書
【補正対象項目名】０００９
【補正方法】変更
【補正の内容】
【０００９】
上記課題を解決するためになされた本発明の請求項１に記載の弾球遊技機は、遊技の進行を制御する主制御装置と、演出装置の制御を行うサブ制御装置と、普通図柄作動ゲートに遊技球が入球した際に抽出した数値データに基づいて開閉部材を開放させるか否かの判定である普通図柄判定の判定結果を報知する普通図柄表示装置と、常時入球可能な第１始動口と、前記開閉部材を備えた第２始動口と、前記第１始動口に遊技球が入球した際に抽出した数値データをもとに行われる特別図柄判定の判定結果を報知する第１特別図柄表示装置と、前記第２始動口に遊技球が入球した際に抽出した数値データをもとに行われる特別図柄判定の判定結果を報知する第２特別図柄表示装置と、前記特別図柄判定の判定結果である小当り図柄が確定表示されることで、特定領域を備えた大入賞口を開放させる小当り遊技を実行させる小当り遊技実行手段と、前記第１特別図柄表示装置、又は前記第２特別図柄表示装置に大当り図柄が確定表示されることで、又は前記小当り遊技中に前記特定領域に遊技球が入球することで大当り遊技を実行させる大当り遊技実行手段と、通常遊技状態よりも、単位時間あたりの前記第２始動口への入球率が高くなるように設定された状態である開放延長状態に移行させる開放延長状態移行手段と、備え、所定の発射威力未満で発射された遊技球が流下する第１遊技領域と、前記所定の発射威力以上で発射された遊技球が流下する第２遊技領域とに、遊技球を打ち分けて発射可能な弾球遊技機において、前記主制御装置による制御にて、前記第２遊技領域への遊技球の流下を促す報知を実行する第１報知手段と、前記サブ制御装置による制御にて、前記第２遊技領域への遊技球の流下を促す報知を実行する第２報知手段と、前記第２遊技領域の所定領域を流下した遊技球を検出する遊技球検出手段と、少なくとも、前記遊技球検出手段によって所定数の遊技球が検出されたことを条件に前記第１遊技領域への遊技球の流下を促す報知を実行させる注意報知制御手段と、を備え、前記普通図柄作動ゲートとして、普通図柄作動ゲート１と普通図柄作動ゲート２とがあり、前記第２遊技領域を流下した遊技球よりも前記第１遊技領域を流下した遊技球のほうが入球し易い位置に前記普通図柄作動ゲート１と、前記第１始動口と、を配置し、前記第１遊技領域を流下した遊技球よりも前記第２遊技領域を流下した遊技球のほうが入球し易い位置に前記普通図柄作動ゲート２と、前記第２始動口と、前記特定領域を備えた大入賞口と、を配置し、前記特別図柄判定によって、前記第２特別図柄表示装置に前記大当り図柄が確定表示される確率よりも前記小当り図柄が確定表示される確率を高くし、前記通常遊技状態における前記開閉部材の開放パターンとして、開閉部材短開放と、該開閉部材短開放よりも開放時間が長い開閉部材長開放と、があり、該開閉部材長開放が行われている際には、前記第１報知手段及び前記第２報知手段による報知が実行され、前記開閉部材短開放が行われている際には、前記第１報知手段による報知が実行されるが、前記第２報知手段による報知は実行されないものとし、前記注意報知制御手段は、前記普通図柄表示装置に前記開閉部材短開放が行われることを示す判定結果が報知されてから所定時間が経過するまでに、前記遊技球検出手段によって前記所定数の遊技球が検出されても前記第１遊技領域への遊技球の流下を促す報知を実行させないようにしたことを特徴とする。
【手続補正３】
【補正対象書類名】明細書
【補正対象項目名】００１０
【補正方法】変更
【補正の内容】
【００１０】
本発明の請求項２に記載の弾球遊技機は、遊技の進行を制御する主制御装置と、演出装置の制御を行うサブ制御装置と、普通図柄作動ゲートに遊技球が入球した際に抽出した数値データに基づいて開閉部材を開放させるか否かの判定である普通図柄判定の判定結果を報知する普通図柄表示装置と、常時入球可能な第１始動口と、前記開閉部材を備えた第２始動口と、前記第１始動口に遊技球が入球した際に抽出した数値データをもとに行われる特別図柄判定の判定結果を報知する第１特別図柄表示装置と、前記第２始動口に遊技球が入球した際に抽出した数値データをもとに行われる特別図柄判定の判定結果を報知する第２特別図柄表示装置と、前記特別図柄判定の判定結果である小当り図柄が確定表示されることで、特定領域を備えた大入賞口を開放させる小当り遊技を実行させる小当り遊技実行手段と、前記第１特別図柄表示装置、又は前記第２特別図柄表示装置に大当り図柄が確定表示されることで、又は前記小当り遊技中に前記特定領域に遊技球が入球することで大当り遊技を実行させる大当り遊技実行手段と、通常遊技状態よりも、単位時間あたりの前記第２始動口への入球率が高くなるように設定された状態である開放延長状態に移行させる開放延長状態移行手段と、備え、所定の発射威力未満で発射された遊技球が流下する第１遊技領域と、前記所定の発射威力以上で発射された遊技球が流下する第２遊技領域とに、遊技球を打ち分けて発射可能な弾球遊技機において、前記主制御装置による制御にて、前記第２遊技領域への遊技球の流下を促す報知を実行する第１報知手段と、前記サブ制御装置による制御にて、前記第２遊技領域への遊技球の流下を促す報知を実行する第２報知手段と、前記第２遊技領域の所定領域を流下した遊技球を検出する遊技球検出手段と、少なくとも、前記遊技球検出手段によって所定数の遊技球が検出されたことを条件に前記第１遊技領域への遊技球の流下を促す報知を実行させる注意報知制御手段と、を備え、前記普通図柄作動ゲートとして、普通図柄作動ゲート１と普通図柄作動ゲート２とがあり、前記第２遊技領域を流下した遊技球よりも前記第１遊技領域を流下した遊技球のほうが入球し易い位置に前記普通図柄作動ゲート１と、前記第１始動口と、を配置し、前記第１遊技領域を流下した遊技球よりも前記第２遊技領域を流下した遊技球のほうが入球し易い位置に前記普通図柄作動ゲート２と、前記第２始動口と、前記特定領域を備えた大入賞口と、を配置し、前記特別図柄判定によって、前記第２特別図柄表示装置に前記大当り図柄が確定表示される確率よりも前記小当り図柄が確定表示される確率を高くし、前記通常遊技状態における前記開閉部材の開放パターンとして、開閉部材短開放と、該開閉部材短開放よりも開放時間が長い開閉部材長開放と、があり、該開閉部材長開放が行われている際には、前記第１報知手段及び前記第２報知手段による報知が実行され、前記開閉部材短開放が行われている際には、前記第１報知手段及び前記第２報知手段による報知が実行されないものとし、前記注意報知制御手段は、前記普通図柄表示装置に前記開閉部材短開放が行われることを示す判定結果が報知されてから所定時間が経過するまでに、前記遊技球検出手段によって前記所定数の遊技球が検出されても前記第１遊技領域への遊技球の流下を促す報知を実行させないようにしたことを特徴とする。